(57)【特許請求の範囲】
【請求項１】
各々が、発光素子と、トランジスタと、保持容量素子と、前記発光素子による発光期間を制御するための発光制御スイッチと、を含む複数の画素と、
各画素に対して映像信号を書き込むことにより表示駆動を行う駆動回路と
を備え、
前記複数の画素全体が、複数の画素グループに分割されるように設定されていると共に、前記画素グループが、１または複数の走査線に沿って位置する複数の前記画素によって構成されており、
前記駆動回路は、
前記映像信号に基づく静止画の表示期間において、前記表示駆動の断続的停止を、前記画素グループ単位としての前記１または複数の走査線単位で個別的に行う際に、
前記静止画の表示期間における前記表示駆動の断続的停止を、奇数番目に位置する前記走査線である奇数走査線に沿った複数の前記画素と、偶数番目に位置する前記走査線である偶数走査線に沿った複数の前記画素との間で、交互に実行すると共に、
前記表示駆動を停止しているときの前記発光期間が相対的に長くなるように、前記発光制御スイッチのオン期間を制御し、かつ、前記発光制御スイッチのオン期間を、前記画素グループ単位で互いに異ならせる
表示装置。
【請求項２】
前記駆動回路は、
前記静止画の表示期間における前記表示駆動が、前記複数の画素全体で一定の周期にて実行されるように、
前記奇数走査線および前記偶数走査線の各々についての前記表示駆動の断続的停止のタイミングを個別に調整する
請求項１に記載の表示装置。
【請求項３】
前記画素を順次選択するための選択パルスが印加される走査線と、前記映像信号が供給される信号線とが、各画素に対して接続されており、
前記駆動回路は、前記走査線に対する前記選択パルスの印加を停止することにより、前記表示駆動を停止する
請求項１または請求項２に記載の表示装置。
【請求項４】
前記発光素子が、有機電界発光素子である
請求項１ないし請求項３のいずれか１項に記載の表示装置。
【請求項５】
表示装置を備え、
前記表示装置は、
各々が、発光素子と、トランジスタと、保持容量素子と、前記発光素子による発光期間を制御するための発光制御スイッチと、を含む複数の画素と、
各画素に対して映像信号を書き込むことにより表示駆動を行う駆動回路と
を有し、
前記複数の画素全体が、複数の画素グループに分割されるように設定されていると共に、前記画素グループが、１または複数の走査線に沿って位置する複数の前記画素によって構成されており、
前記駆動回路は、
前記映像信号に基づく静止画の表示期間において、前記表示駆動の断続的停止を、前記画素グループ単位としての前記１または複数の走査線単位で個別的に行う際に、
前記静止画の表示期間における前記表示駆動の断続的停止を、奇数番目に位置する前記走査線である奇数走査線に沿った複数の前記画素と、偶数番目に位置する前記走査線である偶数走査線に沿った複数の前記画素との間で、交互に実行すると共に、
前記表示駆動を停止しているときの前記発光期間が相対的に長くなるように、前記発光制御スイッチのオン期間を制御し、かつ、前記発光制御スイッチのオン期間を、前記画素グループ単位で互いに異ならせる
電子機器。
【発明の詳細な説明】
【技術分野】
【０００１】
本開示は、発光素子を含む複数の画素を有する表示装置、および、そのような表示装置を備えた電子機器に関する。
【背景技術】
【０００２】
有機ＥＬ（Electro Luminescence）素子等の発光素子を用いた表示装置として、種々のものが提案されている（例えば、特許文献１）。
【先行技術文献】
【特許文献】
【０００３】
【特許文献１】特開２０１５−１２５３５６号公報
【発明の概要】
【発明が解決しようとする課題】
【０００４】
ところで、表示装置では一般に、表示画質の低下を抑える（表示画質を向上させる）ことや、低消費電力化を図ることが求められている。したがって、それらを実現する手法の提案が望まれる。
【０００５】
本開示はかかる問題点に鑑みてなされたもので、その目的は、表示画質の低下を抑えつつ低消費電力化を図ることが可能な表示装置および電子機器を提供することにある。
【課題を解決するための手段】
【０００６】
本開示の表示装置は、各々が、発光素子と、トランジスタと、保持容量素子と、前記発光素子による発光期間を制御するための発光制御スイッチと、を含む複数の画素と、各画素に対して映像信号を書き込むことにより表示駆動を行う駆動回路とを備え、上記複数の画素全体が、複数の画素グループに分割されるように設定されていると共に、上記画素グループが、１または複数の走査線に沿って位置する複数の画素によって構成されているものである。上記駆動回路は、映像信号に基づく静止画の表示期間において、表示駆動の断続的停止を、画素グループ単位としての１または複数の走査線単位で個別的に行う際に、静止画の表示期間における表示駆動の断続的停止を、奇数番目に位置する走査線である奇数走査線に沿った複数の画素と、偶数番目に位置する走査線である偶数走査線に沿った複数の画素との間で、交互に実行すると共に、表示駆動を停止しているときの発光期間が相対的に長くなるように、発光制御スイッチのオン期間を制御し、かつ、この発光制御スイッチのオン期間を、画素グループ単位で互いに異ならせる。
【０００７】
本開示の電子機器は、上記本開示の表示装置を備えたものである。
【０００８】
本開示の表示装置および電子機器では、表示駆動の断続的停止が行われることで、静止画の表示期間での表示駆動に要する消費電力（駆動消費電力）が、低減する。また、そのような表示駆動の断続的停止が画素グループ単位で個別的に行われることで、表示駆動の断続的停止に起因したフリッカの発生が抑えられる（見えにくくなる）。
【発明の効果】
【０００９】
本開示の表示装置および電子機器によれば、静止画の表示期間において、表示駆動の断続的停止を画素グループ単位で個別的に行うようにしたので、静止画の表示期間において駆動消費電力を低減することができるとともに、表示駆動の断続的停止に起因したフリッカの発生を抑えることができる。よって、表示画質の低下を抑えつつ、低消費電力化を図ることが可能となる。
【００１０】
なお、ここに記載された効果は必ずしも限定されるものではなく、本開示中に記載されたいずれの効果であってもよい。
【図面の簡単な説明】
【００１１】
【図１】本開示の一実施の形態に係る表示装置の概略構成例を表すブロック図である。
【図２】図１に示した各画素の内部構成の一例を表す回路図である。
【図３】表示装置におけるＩ−Ｖ特性の経時劣化について説明するための特性図である。
【図４】比較例１に係る静止画表示の際の表示駆動動作を模式的に表すタイミング図である。
【図５】比較例１，２に係る静止画表示の際の表示駆動動作を模式的に表すタイミング図である。
【図６】実施の形態における実施例１に係る静止画表示の際の表示駆動動作の一例を模式的に表すタイミング図である。
【図７】変形例１における実施例２に係る静止画表示の際の表示駆動動作の一例を模式的に表すタイミング図である。
【図８】変形例２に係る各画素の内部構成の一例を表す回路図である。
【図９】比較例３および変形例２に係る表示駆動動作の一例を模式的に表すタイミング図である。
【図１０】適用例に係る電子機器の概略構成例を表すブロック図である。
【発明を実施するための形態】
【００１２】
以下、本開示の実施の形態について、図面を参照して詳細に説明する。なお、説明は以下の順序で行う。
１．実施の形態（奇数ラインと偶数ラインとで表示駆動の断続的停止を交互に行う例）
２．変形例
変形例１（表示駆動の断続的停止を複数の画素全体で一定の周期にて実行する例）
変形例２（各画素内の発光制御スイッチを用いて発光期間の調整を行う例）
３．適用例（実施の形態および変形例１，２に係る表示装置の電子機器への適用例）
４．その他の変形例
【００１３】
＜１．実施の形態＞
［構成］
図１は、本開示の一実施の形態に係る表示装置（表示装置１）の概略構成を、ブロック図で表したものである。この表示装置１は、表示パネル１０（表示部）および駆動回路２０を備えている。
【００１４】
（表示パネル１０）
表示パネル１０は、複数の画素１１がマトリクス状に配置された画素アレイ部１３を有しており、外部から入力される映像信号２０Ａおよび同期信号２０Ｂに基づいて、アクティブマトリクス駆動により画像表示を行うものである。
【００１５】
なお、この画素１１としては、例えば、赤色表示用の画素１１（赤色画素）と、緑色表示用の画素１１（緑色画素）と、青色表示用の画素１１（青色画素）との３種類が存在している。ただし、これらの３種類には限られず、例えば、１種類のみ（モノクロ表示用の画素１１）であったり、２種類あるいは４種類以上（例えば、赤色画素，緑色画素，青色画素，白色画素の４種類）であってもよい。
【００１６】
画素アレイ部１３はまた、水平方向（Ｈ方向）に沿って延在すると共に行状に配置された複数の走査線ＷＳＬと、垂直方向（Ｖ）方向に沿って延在すると共に列状に配置された複数の信号線ＤＴＬと、走査線ＷＳＬに沿って行状に配置された複数の電源線ＤＳＬとを有している。これらの走査線ＷＳＬ、信号線ＤＴＬおよび電源線ＤＳＬの一端側はそれぞれ、後述する駆動回路２０に接続されている。また、上記した各画素１１は、各走査線ＷＳＬと各信号線ＤＴＬとの交差部に対応して、行列状に配置（マトリクス配置）されている。
【００１７】
図２は、各画素１１の内部構成の一例を、回路図で表したものである。各画素１１内には、有機ＥＬ素子（有機電界発光素子）１２と、画素回路１４とが設けられている。なお、この有機ＥＬ素子１２は、本開示における「発光素子」の一具体例に対応している。
【００１８】
画素回路１４は、書き込み（サンプリング用）トランジスタＴｒ１（第１のトランジスタ）、駆動トランジスタＴｒ２（第２のトランジスタ）および保持容量素子Ｃｓを用いて構成されており、いわゆる「２Ｔｒ１Ｃ」の回路構成となっている。ここで、書き込みトランジスタＴｒ１は、この例では、ｎチャネルＭＯＳ（Metal Oxide Semiconductor）型のＴＦＴ（Thin Film Transistor）により構成されている一方、駆動トランジスタＴｒ２は、この例では、ｐチャネルＭＯＳ型のＴＦＴにより構成されている。なお、ＴＦＴの種類は特に限定されるものではなく、例えば、逆スタガー構造（いわゆるボトムゲート型）であってもよいし、スタガー構造（いわゆるトップゲート型）であってもよい。
【００１９】
ここで、これらの書き込みトランジスタＴｒ１および駆動トランジスタＴｒ２はそれぞれ、本開示における「トランジスタ」の一具体例に対応している。
【００２０】
この画素回路１４では、書き込みトランジスタＴｒ１のゲートが走査線ＷＳＬに接続され、書き込みトランジスタＴｒ１のドレインが信号線ＤＴＬに接続されている。また、書き込みトランジスタＴｒ１ソースが、駆動トランジスタＴｒ２のゲートおよび保持容量素子Ｃｓの一端にそれぞれ接続されている。保持容量素子Ｃｓの他端および駆動トランジスタＴｒ２のソースはそれぞれ電源線ＤＳＬに接続され、駆動トランジスタＴｒ２のドレインは、有機ＥＬ素子１２のアノードに接続されている。有機ＥＬ素子１２のカソードは固定電位に設定されており、この例ではグランド線に接続されることにより、グランド（接地電位）に設定されている。なお、この有機ＥＬ素子１２のカソードは、各有機ＥＬ素子１２の共通電極として機能しており、例えば、表示パネル１０の表示領域全体に渡って連続して形成され、平板状の電極となっている。
【００２１】
（駆動回路２０）
駆動回路２０は、画素アレイ部１３（表示パネル１０）を駆動する（表示駆動を行う）回路である。具体的には、詳細は後述するが、駆動回路２０は、画素アレイ部１３における複数の画素１１を順次選択しつつ、選択された画素１１に対して映像信号（映像信号２０Ａに基づく映像信号電圧）を書き込むことにより、各画素１１に対する表示駆動を行うようになっている。この駆動回路２０は、図１に示したように、映像信号処理回路２１、タイミング生成回路２２、走査線駆動回路２３、信号線駆動回路２４および電源線駆動回路２５を有している。
【００２２】
映像信号処理回路２１は、外部から入力されるデジタルの映像信号２０Ａに対して所定の補正処理を行うと共に、その補正処理後の映像信号２１Ａを信号線駆動回路２４に出力する回路である。この所定の補正処理としては、例えば、ガンマ補正処理や、オーバードライブ補正処理などが挙げられる。
【００２３】
タイミング生成回路２２は、外部から入力される同期信号２０Ｂに基づいて制御信号２２Ａを生成して出力することにより、走査線駆動回路２３、信号線駆動回路２４および電源線駆動回路２５がそれぞれ、互いに連動して動作するように制御する回路である。
【００２４】
走査線駆動回路２３は、制御信号２２Ａに従って（同期して）複数の走査線ＷＳＬに対して選択パルスを順次印加することにより、複数の画素１１を順次選択する回路である。具体的には、走査線駆動回路２３は、書き込みトランジスタＴｒ１をオン状態に設定するときに印加する電圧Ｖonと、書き込みトランジスタＴｒ１をオフ状態に設定するときに印加する電圧Ｖoffとを選択的に出力することにより、上記した選択パルスを生成している。なお、電圧Ｖonは、書き込みトランジスタＴｒ１のオン電圧以上の値（一定値）となっており、電圧Ｖoffは、この書き込みトランジスタＴｒ１のオン電圧よりも低い値（一定値）となっている。
【００２５】
信号線駆動回路２４は、制御信号２２Ａに従って（同期して）、映像信号処理回路２１から供給される映像信号２１Ａに対応するアナログの映像信号を生成し、各信号線ＤＴＬに印加する回路である。具体的には、信号線駆動回路２４は、この映像信号２１Ａに基づくアナログの映像信号電圧を各信号線ＤＴＬに対して印加することにより、走査線駆動回路２３により選択された（選択対象の）画素１１に対して映像信号の書き込みを行うようになっている。なお、映像信号の書き込みとは、駆動トランジスタＴｒ２のゲート−ソース間に所定の電圧を印加することを意味している。
【００２６】
また、この信号線駆動回路２４は、映像信号２０Ａに基づく映像信号電圧Ｖsigと、基準電圧Ｖofsとの２種類の電圧を出力することが可能となっており、これらの２種類の電圧を、１水平（１Ｈ）期間ごとに交互に各信号線ＤＴＬに対して印加するようになっている。ここで、基準電圧Ｖofsは、有機ＥＬ素子１２の消光時に、駆動トランジスタＴｒ２のゲートに印加するための電圧である。具体的には、この基準電圧Ｖofsは、駆動トランジスタＴｒ２の閾値電圧をＶthとすると、（Ｖofs−Ｖth）が有機ＥＬ素子１２における閾値電圧Ｖthelおよびカソード電圧Ｖcatを足し合わせた電圧値（Ｖthel＋Ｖcat）よりも低い電圧値（一定値）となるように設定されている。
【００２７】
電源線駆動回路２５は、制御信号２２Ａに従って（同期して）、複数の電源線ＤＳＬに対して制御パルスを順次印加することにより、各有機ＥＬ素子１２の発光動作および消光動作の制御を行うものである。具体的には、電源線駆動回路２５は、駆動トランジスタＴｒ２に後述する電流Ｉｄｓを流すときに印加する電圧Ｖccと、駆動トランジスタＴｒ２に電流Ｉｄｓを流さないときに印加する電圧Ｖiniとを選択的に出力することにより、上記した制御パルスを生成するようになっている。ここで、電圧Ｖiniは、有機ＥＬ素子１２における閾値電圧Ｖthelおよびカソード電圧Ｖcatを足し合わせた電圧値（Ｖthel＋Ｖcat）よりも低い電圧値（一定値）となるように設定されている。一方、電圧Ｖccは、この電圧値（Ｖthel＋Ｖcat）以上の電圧値（一定値）となるように設定されている。
【００２８】
［動作および作用・効果］
（Ａ．基本動作）
この表示装置１では、図１に示したように、駆動回路２０が、表示パネル１０（画素アレイ部１３）内の各画素１１に対し、映像信号２０Ａおよび同期信号２０Ｂに基づく表示駆動を行う。これにより、各画素１１内の有機ＥＬ素子１２へ駆動電流が供給され、正孔と電子とが再結合して発光が起こる。その結果、表示パネル１０において、映像信号２０Ａに基づく画像表示がなされる。
【００２９】
具体的には、図１に加えて図２を参照すると、表示パネル１０では、以下のようにして映像信号の書き込み動作（表示動作）が行われる。
【００３０】
すなわち、まず、信号線ＤＴＬの電圧が映像信号電圧となっており、かつ電源線ＤＳＬの電圧が電圧ＶＨとなっている期間中に、走査線駆動回路２３が、走査線ＷＳＬの電圧を電圧Ｖoffから電圧Ｖonに上げる。これにより、書き込みトランジスタＴｒ１がオン状態となるため、駆動トランジスタＴｒ２のゲート電位Ｖｇが、このときの信号線ＤＴＬの電圧に対応する映像信号電圧へと上昇する。その結果、保持容量素子Ｃｓに対して映像信号電圧が書き込まれて保持される。
【００３１】
このとき、有機ＥＬ素子１２のアノード電圧は、この段階ではまだ、有機ＥＬ素子１２における閾値電圧Ｖelとカソード電圧Ｖca（＝接地電位）とを足し合わせた電圧値（Ｖel＋Ｖca）よりも小さく、有機ＥＬ素子１２はカットオフ状態となっている。すなわち、この段階では、有機ＥＬ素子１２のアノード−カソード間には電流が流れない（有機ＥＬ素子１２が発光しない）。したがって、駆動トランジスタＴｒ２から供給される電流Ｉｄｓは、有機ＥＬ素子１２のアノード−カソード間に並列に存在する素子容量（図示せず）へと流れ、この素子容量が充電される。
【００３２】
次に、信号線ＤＴＬおよび電源線ＤＳＬの電圧がそれぞれ、映像信号電圧および電圧ＶＨのまま保持されている期間中に、走査線駆動回路２３が、走査線ＷＳＬの電圧を電圧Ｖonから電圧Ｖoffへと下げる。これにより、書き込みトランジスタＴｒ１がオフ状態となるため、駆動トランジスタＴｒ２のゲートがフローティング状態となる。すると、この駆動トランジスタＴｒ２のゲート−ソース間電圧Ｖｇｓが一定に保持された状態で、駆動トランジスタＴｒ２のドレイン−ソース間に電流Ｉｄｓが流れる。その結果、この駆動トランジスタＴｒ２のソース電位Ｖｓが上昇すると共に、駆動トランジスタＴｒ２のゲート電位Ｖｇもまた、保持容量素子Ｃｓを介した容量カップリングにより、連動して上昇する。これにより、有機ＥＬ素子１２のアノード電圧が、この有機ＥＬ素子１２における閾値電圧Ｖelとカソード電圧Ｖcaとを足し合わせた電圧値（Ｖel＋Ｖca）よりも大きくなる。よって、有機ＥＬ素子１２のアノード−カソード間には、保持容量素子Ｃｓに保持された映像信号電圧、すなわち、駆動トランジスタＴｒ２におけるゲート−ソース間電圧Ｖｇｓに応じた電流Ｉｄｓが流れ、有機ＥＬ素子１２が所望の輝度で発光する。
【００３３】
ここで、このような有機ＥＬ素子１２の発光期間では、駆動トランジスタＴｒ２は飽和領域で動作するように設定されている。このため、この駆動トランジスタＴｒ２および有機ＥＬ素子１２に流れる、上述した電流Ｉｄｓは、以下の（１）式で表すことができる。換言すると、この駆動トランジスタＴｒ２は、（１）式により示される値の電流Ｉｄｓを流す定電流源として機能することになる。なお、この（１）式において、μ，Ｗ，Ｌ，Ｃｏｘ，Ｖｇｓ，Ｖthはそれぞれ、駆動トランジスタＴｒ２における移動度，チャネル幅，チャネル長，単位面積あたりのゲート酸化膜容量，ゲート−ソース間電圧（図２参照），閾値電圧を示している。
Ｉｄｓ＝（１／２）×μ×（Ｗ／Ｌ）×Ｃｏｘ×（Ｖｇｓ−Ｖth）2  ……（１）
【００３４】
なお、この画素回路１４においては、例えば図３に示したような、有機ＥＬ素子１２におけるＩ−Ｖ特性の経時劣化等とともに、駆動トランジスタＴｒ２のドレイン電圧が変化していくことになる。ただし、この駆動トランジスタＴｒ２におけるゲート−ソース間電圧Ｖｇｓが一定に保たれることから、有機ＥＬ素子１２には一定量の電流Ｉｄｓが流れ、その発光輝度は変化しないことになる。
【００３５】
次いで、駆動回路２０は、所定の期間が経過したのち、有機ＥＬ素子１２の発光期間を終了させる。具体的には、電源線駆動回路２５が、電源線ＤＳＬの電圧を電圧ＶＨから電圧ＶＬへと下げる。すると、駆動トランジスタＴｒ２のソース電位Ｖｓが下降していく。これにより、有機ＥＬ素子１２のアノード電圧が、この有機ＥＬ素子１２における閾値電圧Ｖelとカソード電圧Ｖcaとを足し合わせた電圧値（Ｖel＋Ｖca）よりも小さくなり、アノード−カソード間に電流Ｉｄｓが流れなくなる。その結果、これ以降は有機ＥＬ素子１２が消光する（消光期間へと移行する）。
【００３６】
なお、その後は、駆動回路２０は、これまで説明した発光動作および消光動作がフレーム期間（１垂直期間，１Ｖ期間）ごとに周期的に繰り返されるように、表示駆動を行う。また、それとともに、駆動回路２０は、例えば１水平期間（１Ｈ期間）ごとに、電源線ＤＳＬに印加する制御パルスと、走査線ＷＳＬに印加する選択パルスとをそれぞれ、行方向に走査させる。以上のようにして、表示装置１における表示動作（駆動回路２０による表示駆動）が行われる。
【００３７】
（Ｂ．静止画表示の際の表示駆動動作）
続いて、図１〜図３に加えて図４〜図６を参照して、静止画表示の際における表示装置１での表示駆動動作例について、比較例（比較例１，２）と比較しつつ詳細に説明する。
【００３８】
（Ｂ−１．比較例１）
図４は、比較例１に係る静止画表示の際の表示駆動動作を、模式的にタイミング図で表したものである。具体的には、図４（Ａ）は、表示パネル１０における表示映像の時間的変化を模式的に示し、図４（Ｂ）は、各表示映像の期間における表示駆動方法を模式的に示している。
【００３９】
なお、図４（Ａ）において、「１Ｆ」は１フレーム期間（１垂直期間）を意味しており、以降の図においても同様である。また、図４（Ｂ）において、「Ｖ」は表示駆動を実行している期間であることを、「−」は表示駆動を停止している期間であることをそれぞれ意味しており、以降の図においても同様である。
【００４０】
この比較例１では、図４（Ａ）に示したように、各フレーム期間における表示映像が、動画「Ａ」→静止画「Ｂ」→静止画「Ｂ」→静止画「Ｂ」→動画「Ｃ」→動画「Ｄ」の順に変化している。
【００４１】
この場合において、まず、通常駆動の場合の表示駆動方法では、図４（Ｂ）に示したように、駆動回路２０では、表示映像が動画であるのか静止画であるのかを問わず、常に、表示駆動（各画素１１に対する映像信号２１Ａの書き込みによる画像表示）を実行している。
【００４２】
ここで、表示映像の期間（有機ＥＬ素子１２による発光期間）における、表示装置１での消費電力について検討する。このときの消費電力は、有機ＥＬ素子１２の発光に要する消費電力（発光消費電力）と、表示駆動に要する消費電力（駆動消費電力）との２種類に大別される。このうち、発光消費電力は、有機ＥＬ素子１２が発光していない場合（消光期間）には、ほぼ０（ゼロ）となる。一方、駆動消費電力は、有機ＥＬ素子１２が発光していない場合でも、表示駆動自体は行われていることから、０とはならない。
【００４３】
この駆動消費電力は一般に、表示パネルにおける画素の精細度（解像度）が高くなるのに従って大きくなる傾向がある。近年では、表示パネルにおける画素の精細度は大きく増加し、人間の知覚を超える程となっていることから、この駆動消費電力を削減することは、表示装置１全体での消費電力低減を図るためには重要であると言える。
【００４４】
そこで、図４（Ｂ）に示したように、このような駆動消費電力を削減するため、静止画（この例では静止画「Ｂ」）の表示期間では、駆動回路２０が表示駆動を停止させる（静止画時に駆動停止する）手法が考えられる。
【００４５】
具体的には、静止画「Ｂ」の表示期間のうちの最初の１フレーム期間では、駆動回路２０は、上記した通常駆動の場合と同様にして表示駆動を行うことにより、各画素１１に対して映像信号２１Ａ（静止画「Ｂ」に対応する映像信号）の書き込みを行う（図４（Ｂ）中の符号Ｐ１０１参照）。そして、静止画「Ｂ」の表示期間のうちの、その後のフレーム期間（２フレーム目以降の期間）では、駆動回路２０は、以下のようにして、静止画「Ｂ」の映像表示が引き続き行われるようにする。すなわち、駆動回路２０は、上記したような表示駆動（映像信号２１Ａの書き込み）を実行せずに、各画素１１内の保持容量素子Ｃｓに保持された電荷を利用して、有機ＥＬ素子１２を引き続き発光させる。
【００４６】
このようにして、この手法では、前のフレーム期間と同じ映像を表示する場合には表示駆動を停止させることで、静止画を表示する際の駆動消費電力を削減することができ、表示装置１全体での消費電力低減に寄与することになる。
【００４７】
ただし、一般に、表示駆動を停止させていて各画素内のトランジスタがオフ状態となっていても、そのトランジスタには微小のリーク電流が存在している。そして、この微小のリーク電流に起因して、各画素内の保持容量素子に保持されている電荷量が、徐々に減少してしまう。具体的には、図２の例では、各画素１１内の駆動トランジスタＴｒ２におけるリーク電流に起因して、保持容量素子Ｃｓに保持されている電荷量、換言すると、この駆動トランジスタＴｒ２におけるゲート−ソース間電圧Ｖｇｓが、時間とともに減少してしまう。このようなゲート−ソース間電圧Ｖｇｓは、有機ＥＬ素子１２における発光輝度の低下に繋がる。したがって、上記した表示駆動の停止期間が長くなると、それに伴って、リーク電流に起因した有機ＥＬ素子１２の発光輝度低下が徐々に進行し（後述する図５（Ｂ）中の矢印Ｐ１０３参照）、表示装置１における画質（表示画質）が低下してしまうことになる。
【００４８】
（Ｂ−２．比較例２）
そこで以下の比較例２では、静止画の表示期間において、一律に（２フレーム目以降の全てのフレーム期間で）表示駆動を停止させるのではなく、断続的に表示駆動を停止させる（一部のフレーム期間では表示駆動を実行させる）ようにしている。換言すると、この比較例２では、以下詳述するように、静止画の表示期間において表示駆動を停止させつつ、定期的にリフレッシュ動作（各画素１１内の保持容量素子Ｃｓに対して、静止画の映像信号に相当する電荷を定期的に再書き込みする動作）を行っている。
【００４９】
図５は、比較例２に係る静止画表示の際の表示駆動動作を、上記した比較例１の場合と比較しつつ、模式的にタイミング図で表したものである。具体的には、図５（Ａ）は、表示パネル１０における表示映像の時間的変化を模式的に示し、図５（Ｂ）は、各表示映像の期間における表示駆動方法を、比較例１，２の各々について対比して模式的に示している。なお、この図５（Ｂ）においては、比較例１，２の各々について、静止画の表示期間における有機ＥＬ素子１２の発光輝度の時間的変化も併せて示している。
【００５０】
この例では図５（Ａ）に示したように、各フレーム期間における表示映像が、動画「Ａ」→静止画「Ｂ」→静止画「Ｂ」→静止画「Ｂ」→静止画「Ｂ」→静止画「Ｂ」の順に変化している。
【００５１】
ここで、上記した比較例１の手法では、静止画「Ｂ」の表示期間において、２フレーム目以降の全フレーム期間で、表示駆動を停止させている（図５（Ｂ）中の符号Ｐ１０１，Ｐ１０２参照）。このため、上記したように、リーク電流に起因して発光輝度が徐々に低下してしまっている（図５（Ｂ）中の矢印Ｐ１０３参照）。
【００５２】
一方、比較例２の手法では、上記したように、静止画の表示期間において、断続的に表示駆動を停止させる（一部のフレーム期間では表示駆動を実行させる）ことで、定期的なリフレッシュ動作を行うようにしている。
【００５３】
具体的には、図５（Ｂ）に示したように、静止画「Ｂ」の表示期間において、最初の１フレーム目に表示駆動を行った後、２フレーム目以降に、各画素１１に対する表示駆動を断続的に停止させている（図５（Ｂ）中の符号Ｐ２０１，Ｐ２０２，Ｐ２０４参照）。より具体的には、静止画「Ｂ」の表示期間のうち、２フレーム目および４フレーム目においては、表示駆動を停止するとともに（符号Ｐ２０２参照）、３フレーム目および５フレーム目においては、表示駆動を行っている（符号Ｐ２０４参照）。これにより比較例２では、表示パネル１０内の全画素１１に対する一括的なリフレッシュ動作（一括リフレッシュ動作）が、定期的に実行されるようになっている。
【００５４】
このような一括リフレッシュ動作が定期的に行われることで、この比較例２では上記比較例１と比べ、リーク電流に起因した発光輝度の低下が抑えられる（図５（Ｂ）中の矢印Ｐ２０３参照）。
【００５５】
ところが、このような各画素１１に対する表示駆動の断続的停止（定期的な一括リフレッシュ動作）が行われると、そのときのわずかな輝度変化（矢印Ｐ２０３参照）が、フリッカ（ちらつき）として人間の目に知覚されてしまうケースがある。このため、この比較例２においても、このような表示駆動の断続的停止に起因したフリッカの発生によって、表示画質が低下してしまうおそれがある。また、このようなフリッカの発生を回避しようとすると、静止画を表示する際に、表示駆動の停止期間を長く設定することができなくなり、結局のところ、駆動消費電力の低下量があまり大きくならないことになる。
【００５６】
このようにして、これらの比較例１，２では、表示画質の低下を抑えつつ低消費電力化を図ることが困難であると言える。
【００５７】
（Ｂ−３．実施例１）
そこで、本実施の形態の表示装置１では、以下詳述する表示駆動方法を採用することで、上記比較例１，２における課題を解決するようにしている。
【００５８】
すなわち、まず、この表示装置１では、表示パネル１０内に配置された複数の画素１１全体が、複数の画素グループに分割されるように設定されている。各画素グループ内には、複数の画素１１が含まれるようになっている。そして駆動回路２０は、静止画の表示期間において、上記した表示駆動の断続的停止を、表示パネル１０内の全画素１１に対して（一括して）ではなく、それらの画素グループ単位で個別的に行う。なお、このとき駆動回路２０は、前述した走査線ＷＳＬに対する選択パルスの印加を停止することによって、表示駆動（映像信号２１Ａの書き込み）を停止するようにしている。
【００５９】
具体的には、以下説明する実施例１では、一例として、各画素グループが、走査線ＷＳＬ（１本あるいは２本以上）に沿って位置する複数の画素１１によって構成されている。換言すると、１本あるいは２本以上の各走査線ＷＳＬに共通接続された複数の画素１１によって、各画素グループが構成されている。そして、この実施例１では、駆動回路２０は、静止画の表示期間における表示駆動の断続的停止を、このような各画素グループを構成する走査線ＷＳＬ（１本あるいは２本以上）単位で個別的に行うようにしている。
【００６０】
図６は、本実施の形態における実施例１に係る静止画表示の際の表示駆動動作を、上記した比較例２の場合と比較しつつ、模式的にタイミング図で表したものである。具体的には、図６（Ａ）は、表示パネル１０における表示映像の時間的変化を模式的に示し、図６（Ｂ）は、各表示映像の期間における表示駆動方法を、比較例２および実施例１の各々について対比して模式的に示している。また、図６（Ｃ）は、これら比較例２および実施例１の各々について、静止画の表示期間における有機ＥＬ素子１２の発光輝度の時間的変化を示している。
【００６１】
ここで、図６（Ｂ），図６（Ｃ）において実施例１では、表示パネル１０内に配置された複数の走査線ＷＳＬ（走査ライン）のうち、奇数ラインに位置する走査線ＷＳＬと、偶数ラインに位置する走査線ＷＳＬとに関して、区別して示している。つまり、図６（Ｂ）では、奇数ラインおよび偶数ラインについての表示駆動方法を、区別して示している。また、図６（Ｃ）では、奇数ライン全体における発光輝度の変化（奇数ライン輝度）と、偶数ライン全体における発光輝度の変化（偶数ライン輝度）とを区別して示すとともに、表示パネル１０内の全画素１１における発光輝度（全面輝度）も併せて示している。なお、比較例２については、前述したように、表示パネル１０内の全画素１１（全ライン）についての一括した表示駆動方法（図６（Ｂ））であることから、全面輝度（図６（Ｃ））についてのみ示している。
【００６２】
ここで、このような奇数ラインに位置する走査線ＷＳＬが、本開示における「奇数走査線」の一具体例に対応している。また、偶数ラインに位置する走査線ＷＳＬが、本開示における「偶数走査線」の一具体例に対応している。
【００６３】
この例では図６（Ａ）に示したように、各フレーム期間における表示映像が、動画「Ａ」→静止画「Ｂ」→静止画「Ｂ」→静止画「Ｂ」→静止画「Ｂ」→静止画「Ｂ」の順に変化している。なお、説明の便宜上、静止画「Ｂ」を表示する各フレーム期間を、１フレーム目から５フレームまでの各々について、以下、静止画表示フレーム期間Ｔｓ１〜Ｔｓ５と称する（図６（Ａ）参照）。
【００６４】
また、この図６の例では、前提条件として、トータルとして２フレーム期間（例えば、静止画表示フレーム期間Ｔｓ１〜Ｔｓ２）に亘る表示駆動の全面停止（全画素１１に対する停止）の場合、前述したフリッカの発生が人間の目には知覚されないものとする。一方で、トータルとして３フレーム期間（例えば、静止画表示フレーム期間Ｔｓ１〜Ｔｓ３）以上に亘る表示駆動の全面停止の場合、フリッカの発生が人間の目に知覚されるものとする。
【００６５】
この実施例１では、以下詳述するように、駆動回路２０は、静止画「Ｂ」の表示期間における表示駆動の断続的停止を、前述した画素グループ（走査ラインＷＳＬ）単位として、上記した奇数ラインに属する複数の画素１１と偶数ラインに属する複数の画素１１との間で、交互に実行している。
【００６６】
具体的には、まず、静止画「Ｂ」の表示期間のうちの最初の１フレーム期間（静止画表示フレーム期間Ｔｓ１）では、駆動回路２０は、比較例２と同様にして表示駆動を行うことにより、映像信号２１Ａの書き込みを行う（図６（Ｂ）中の符号Ｐ２１参照）。このとき、駆動回路２０は、奇数ラインおよび偶数ラインの双方について、つまり、比較例２と同様にして全ての走査ラインについて、そのような表示駆動を行う。これにより、表示パネル１０に静止画「Ｂ」が表示される。
【００６７】
なお、その後は、前述したリーク電流に起因した発光輝度の低下が、徐々に進行していく（図６（Ｃ）参照）。ここで、発光輝度の低下の度合いが、全面輝度（実施例１，比較例２）の場合と、奇数ライン輝度および偶数ライン輝度（実施例１）の場合とで異なっているのは、以下の理由によるものである。すなわち、奇数ライン輝度および偶数ライン輝度の場合は、全面輝度の場合と比べて画素１１の数が半分（１／２）となることから、このときの輝度低下の度合い（輝度低下の際の傾き）も、半分となっている。換言すると、実施例１における奇数ライン輝度と偶数ライン輝度とを足し合わせたものが、実施例１における全面輝度に相当しており、以降も同様である。
【００６８】
次いで、２フレーム目および３フレーム目の期間（静止画表示フレーム期間Ｔｓ２，Ｔｓ３）では、駆動回路２０は、比較例２と同様にして、全ての走査ラインについて（奇数ラインおよび偶数ラインの双方について）、表示駆動を停止する（図６（Ｂ）中の符号Ｐ２２参照）。その結果、リーク電流に起因して、発光輝度が低下し続けている（図６（Ｃ）参照）。
【００６９】
続いて、４フレーム目の期間（静止画表示フレーム期間Ｔｓ４）では、駆動回路２０は、比較例２とは異なり、奇数ラインについてのみ、表示駆動を行う（図６（Ｂ）中の符号Ｐ２４ｏ参照）。これにより、表示パネル１０内の奇数ラインに属する複数の画素１１に対して、部分的（選択的）なリフレッシュ動作（部分的リフレッシュ動作）が実行される。その結果、奇数ライン輝度がある程度増加し（図６（Ｃ）中の符号Ｐ２３ｏ参照）、その増加量の分だけ全面輝度も増加する（図６（Ｃ）中の矢印Ｐ２３１参照）ことで、リーク電流に起因した発光輝度の低下が抑えられる。
【００７０】
なお、この静止画表示フレーム期間Ｔｓ４において、偶数ラインについては、表示駆動の停止が継続される（図６（Ｂ）参照）。このため、偶数ライン輝度については、リーク電流に起因して、発光輝度が引き続き低下している（図６（Ｃ）参照）。
【００７１】
ここで、上記した比較例２の手法では、この静止画表示フレーム期間Ｔｓ４において、全ての走査ラインについて（奇数ラインおよび偶数ラインの双方について）、表示駆動を行っている（図６（Ｂ）中の符号Ｐ２０４参照）。これにより前述したように、表示パネル１０内の全ての画素１１に対する一括的なリフレッシュ動作（一括リフレッシュ動作）が実行される。ここで、このときの表示駆動の全面停止は、トータルとして３フレーム期間（静止画表示フレーム期間Ｔｓ１〜Ｔｓ３）以上に亘る。したがって、前述したこの例での前提条件により、このときの輝度変化（輝度差）、つまり、全面輝度の増加（図６（Ｃ）中の矢印Ｐ２０３参照）によるフリッカの発生が、人間の目に知覚されてしまうことになる。
【００７２】
これに対して、このときの実施例１における全面輝度の増加量（図６（Ｃ）中の矢印Ｐ２３１参照）は、上記したように奇数ライン輝度の増加量（図６（Ｃ）中の符号Ｐ２３ｏ参照）に相当する。したがって、このときの実施例１における全面輝度の増加量は、比較例２における全面輝度の増加量（図６（Ｃ）中の矢印Ｐ２０３参照）と比べ、小さくなる（この例では、半分となる）。その結果、このときの輝度変化によるフリッカの発生が、人間の目には知覚されないことになる。
【００７３】
次に、５フレーム目の期間（静止画表示フレーム期間Ｔｓ５）においても、駆動回路２０は、比較例２とは異なり、偶数ラインについてのみ、表示駆動を行う（図６（Ｂ）中の符号Ｐ２４ｅ参照）。これにより、表示パネル１０内の偶数ラインに属する複数の画素１１に対して、部分的リフレッシュ動作が実行される。その結果、偶数ライン輝度がある程度増加し（図６（Ｃ）中の符号Ｐ２３ｅ参照）、その増加量の分だけ全面輝度も増加する（図６（Ｃ）中の矢印Ｐ２３２参照）ことで、リーク電流に起因した発光輝度の低下が抑えられる。
【００７４】
なお、この静止画表示フレーム期間Ｔｓ５において、奇数ラインについては、表示駆動が再び停止される（図６（Ｂ）参照）。このため、奇数ライン輝度については、リーク電流に起因して、発光輝度の低下が再び進行している（図６（Ｃ）参照）。
【００７５】
ここで、このときの実施例１における全面輝度の増加量（図６（Ｃ）中の矢印Ｐ２３２参照）は、上記したように偶数ライン輝度の増加量（図６（Ｃ）中の符号Ｐ２３ｅ参照）に相当する。したがって、このときの実施例１における全面輝度の増加量（輝度変化）によるフリッカの発生もまた、人間の目には知覚されないことになる。
【００７６】
なお、実施例１におけるその後は、静止画表示フレーム期間Ｔｓ２〜Ｔｓ５での動作を１周期として、静止画「Ｂ」の表示動作を繰り返すことになる。
【００７７】
このようにして本実施の形態では、駆動回路２０による表示駆動の断続的停止が行われることで、静止画の表示期間での表示駆動に要する消費電力（駆動消費電力）が、低減する。また、そのような表示駆動の断続的停止が画素グループ単位（例えば走査ライン単位）で個別的に行われることで、表示駆動の断続的停止に起因したフリッカの発生が抑えられ（見えにくくなり）、望ましくは回避される（知覚されなくなる）。
【００７８】
以上のように本実施の形態では、静止画の表示期間において、表示駆動の断続的停止を画素グループ単位で個別的に行うようにしたので、静止画の表示期間において駆動消費電力を低減することができるとともに、表示駆動の断続的停止に起因したフリッカの発生を抑えることができる。よって、表示画質の低下を抑えつつ、低消費電力化を図ることが可能となる。
【００７９】
また、そのようなフリッカの発生が抑えられることから、静止画を表示する際の表示駆動の断続的停止期間を、前述した比較例２の場合と比べて延ばす（フレーム数を増加させる）ことができ、この点でも、低消費電力化を図ることが可能となる。
【００８０】
＜２．変形例＞
続いて、上記実施の形態の変形例（変形例１，２）について説明する。なお、実施の形態における構成要素と同一のものには同一の符号を付し、適宜説明を省略する。
【００８１】
［変形例１］
図７は、変形例１における実施例２に係る静止画表示の際の表示駆動動作を、前述した比較例２の場合と比較しつつ、模式的にタイミング図で表したものである。具体的には、図７（Ａ）は、表示パネル１０における表示映像の時間的変化を模式的に示し、図７（Ｂ）は、各表示映像の期間における表示駆動方法を、比較例２および実施例２の各々について対比して模式的に示している。また、図７（Ｃ）は、これら比較例２および実施例２の各々について、静止画の表示期間における有機ＥＬ素子１２の発光輝度の時間的変化を示している。
【００８２】
ここで、図７（Ｂ），図７（Ｃ）における実施例２においても、前述した実施例１と同様に、奇数ラインに位置する走査線ＷＳＬと、偶数ラインに位置する走査線ＷＳＬとに関して、区別して示している。つまり、図７（Ｂ）では、奇数ラインおよび偶数ラインについての表示駆動方法を、区別して示している。また、図７（Ｃ）では、前述した奇数ライン輝度と偶数ライン輝度とを区別して示すとともに、前述した全面輝度も併せて示している。なお、比較例２については、前述した図６（Ｃ）と同様に、全面輝度（図７（Ｃ））についてのみ示している。
【００８３】
この例においても図７（Ａ）に示したように、各フレーム期間における表示映像が、動画「Ａ」→静止画「Ｂ」→静止画「Ｂ」→静止画「Ｂ」→静止画「Ｂ」→静止画「Ｂ」の順に変化している。
【００８４】
また、この図７の例においても、前提条件として、トータルとして２フレーム期間（例えば、静止画表示フレーム期間Ｔｓ１〜Ｔｓ２）に亘る表示駆動の全面停止（全画素１１に対する停止）の場合、前述したフリッカの発生が人間の目には知覚されないものとする。一方で、トータルとして３フレーム期間（例えば、静止画表示フレーム期間Ｔｓ１〜Ｔｓ３）以上に亘る表示駆動の全面停止の場合、フリッカの発生が人間の目に知覚されるものとする。
【００８５】
この実施例２は、上記実施の形態に係る実施例１において、静止画「Ｂ」の表示期間における奇数ラインおよび偶数ラインについての表示駆動の断続停止のタイミングを変更したものに対応している。具体的には、この静止画「Ｂ」の表示期間における表示駆動が、表示パネル１０内の画素１１全体で一定の周期にて実行されるように、駆動回路２０が奇数ラインおよび偶数ラインの各々についての表示駆動の断続停止（実行）のタイミングを個別に調整するようにしている。
【００８６】
より具体的には、図７（Ｂ）に示したように、この実施例２では、奇数ラインについては、静止画表示フレーム期間Ｔｓ１，Ｔｓ３，…において断続的な表示駆動が実行され、偶数ラインについては、静止画表示フレーム期間Ｔｓ１，Ｔｓ５，…において断続的な表示駆動が実行されている。その結果、表示パネル１０内の画素１１全体では、静止画表示フレーム期間Ｔｓ１，Ｔｓ３，Ｔｓ５，…において、断続的な表示駆動が実行されている。つまり、表示パネル１０内の画素１１全体では、静止画「Ｂ」の表示期間において、１フレーム期間ごとに交互に（周期的に）、表示駆動が実行される領域（走査ライン）が存在していることになる。このようにして実施例２では、前述した実施例１とは異なり、駆動回路２０は、奇数ラインまたは偶数ラインについての断続的な表示駆動が、一定の周期にて実行されるように、個別的なタイミング調整を行っている。
【００８７】
このような表示駆動が行われることで、この実施例２では、実施例１の場合（図６（Ｃ）中の矢印Ｐ２３１参照）と比べ、静止画「Ｂ」の表示期間における全面輝度の変化量（増加量）が、より小さくなる（図７（Ｃ）中の矢印Ｐ２３１参照）。その結果、このときの輝度変化によるフリッカの発生が、人間の目にとって更に知覚されにくくなる。よって本変形例では、実施の形態と比べ、表示画質の低下を更に抑える（表示画質を更に向上させる）ことが可能となる。
【００８８】
［変形例２］
（構成）
図８は、変形例２に係る各画素（画素１１Ａ）の内部構成の一例を、回路図で表したものである。この変形例２の画素１１Ａは、実施の形態で説明した画素１１（図２）において、画素回路１４の代わりに以下説明する画素回路１４Ａを設けたものに対応している。この画素回路１４Ａは、画素回路１４において、駆動トランジスタＴｒ２のドレインと有機ＥＬ素子１２のアノードとの間に、発光制御トランジスタＴｒ３を更に設けた（挿入配置させた）ものとなっており、他の構成は基本的に同様となっている。なお、この発光制御トランジスタＴｒ３は、本開示における「発光制御スイッチ」の一具体例に対応している。
【００８９】
この発光制御トランジスタＴｒ３は、詳細は後述するが、有機ＥＬ素子１２による発光期間を制御するためのスイッチ素子として機能するものであり、この例ではｎチャネルＭＯＳ型のＴＦＴにより構成されている。図８に示したように、発光制御トランジスタＴｒ３のゲートには、電源線ＤＳＬが接続されている。また、発光制御トランジスタＴｒ３のソースには有機ＥＬ素子１２のアノードが接続され、発光制御トランジスタＴｒ３のドレインには駆動トランジスタＴｒ２のドレインが接続されている。なお、本変形例の画素回路１４Ａでは、電源線ＤＳＬが発光制御トランジスタＴｒ３のゲートに接続されている代わりに、画素回路１４とは異なり、駆動トランジスタＴｒ２のソースおよび保持容量素子Ｃｓの他端がそれぞれ固定電位Ｖcnsに設定されている。
【００９０】
（動作および作用・効果）
図９は、本変形例（変形例２−１，２−２）に係る表示駆動動作の一例を、比較例３の場合と比較しつつ、模式的にタイミング図で表したものである。具体的には、図９（Ａ）は、比較例３における走査線ＷＳＬおよび電源線ＤＳＬの各タイミング波形を示している。また、図９（Ｂ）および図９（Ｃ）はそれぞれ、変形例２−１，２−２における走査線ＷＳＬおよび電源線ＤＳＬの各タイミング波形を示している。なお、これらの図９（Ｂ）および図９（Ｃ）ではそれぞれ、前述した奇数ラインに位置する走査線ＷＳＬおよび電源線ＤＳＬをそれぞれ、走査線ＷＳＬ（Odd）および電源線ＤＳＬ（Odd）として示している。一方、前述した偶数ラインに位置する走査線ＷＳＬおよび電源線ＤＳＬをそれぞれ、走査線ＷＳＬ（Even）および電源線ＤＳＬ（Even）として示している。
【００９１】
ここで、このような走査線ＷＳＬ（Odd）が、本開示における「奇数走査線」の一具体例に対応している。また、走査線ＷＳＬ（Even）が、本開示における「偶数走査線」の一具体例に対応している。
【００９２】
まず、図９（Ａ）に示した比較例３では、表示駆動の実行期間（例えば前述した静止画表示フレーム期間Ｔｓ１）と、表示駆動の停止期間（例えば前述した静止画表示フレーム期間Ｔｓ２，Ｔｓ３等）とを比較すると、以下のようにして表示駆動動作が設定されている。なお、このときの表示駆動の停止状態としては、前述した比較例２のように全面一括して停止する場合と、前述した実施例１，２のように部分的（走査ライン単位等）に停止する場合とのいずれであってもよい。
【００９３】
すなわち、この比較例３では、走査線ＷＳＬに対する選択パルスの印加が停止される、表示駆動の停止期間（図９（Ａ）中の符号Ｐ３０１参照）では、表示駆動の実行期間と比べ、電源線ＤＳＬのオン期間が相対的に長くなるように設定されている（図９（Ａ）中の矢印Ｐ３０２参照）。この電源線ＤＳＬのオン期間とは、図８から分かるように、発光制御トランジスタＴｒ３のオン期間、つまり、有機ＥＬ素子１２による発光期間に対応している。したがって、この比較例３では、表示駆動の停止期間において、表示駆動の実行期間と比べて発光期間が相対的に長くなるように、表示駆動動作が設定されていることになる。これにより比較例３では、表示駆動を停止したときにおける、前述したリーク電流に起因した発光輝度の低下が、発光期間の調整（発光期間を長くすること）によって抑えられる（望ましくは、発光輝度が一定に保たれる）ようになっている。
【００９４】
そこで、以下の変形例２−１，２−２では、このような発光制御トランジスタＴｒ３を用いた発光期間の調整動作を利用して、駆動回路２０は、以下のようにして、表示駆動を停止しているときの動作を行うようにしている。すなわち、駆動回路２０は、表示駆動の停止期間における発光期間が相対的に長くなるように、発光制御トランジスタＴｒ３のオン期間を、画素グループ単位（この例では走査ライン単位）で個別的に制御するようにしている。具体的には、この例では駆動回路２０は、このような発光制御トランジスタＴｒ３を用いた、表示駆動停止期間での発光期間の調整動作を、奇数ラインと偶数ラインとで個別に制御（例えば互いに異ならせる）ようにしている。
【００９５】
より具体的には、図９（Ｂ）に示した変形例２−１では、以下のように設定されている。すなわち、まず、奇数ラインについては、走査線ＷＳＬ（Odd）に対する選択パルスの印加が停止される、表示駆動の停止期間（符号Ｐ３１ｏ参照）において、電源線ＤＳＬ（Odd）のオン期間が、時間軸方向に沿って相対的に長くなるように設定されている（矢印Ｐ３２ｏ参照）。一方、偶数ラインについては、走査線ＷＳＬ（Even）に対する選択パルスの印加が停止される、表示駆動の停止期間（符号Ｐ３１ｅ参照）において、電源線ＤＳＬ（Odd）のオン期間が、以下の手法にて相対的に長くなるように設定されている（矢印Ｐ３２ｅ参照）。つまり、表示起動停止の１フレーム目の期間では、上記した偶数ラインの場合と同様に、時間軸方向に沿って（片方向に）、長くなるように設定されている。一方、表示駆動停止の２フレーム目の期間では、偶数ラインの場合とは異なり、時間軸方向およびその逆方向の双方に沿って（双方向に）、長くなるように設定されている。
【００９６】
また、図９（Ｃ）に示した変形例２−２は、上記した変形例２−１において、表示駆動停止の２フレーム目の期間における奇数ラインでの動作を変更したものとなっている。すなわち、この２フレーム目の期間においては、奇数ラインについては偶数ラインとは異なり、表示駆動が実行される（符号Ｐ３３ｏ参照）とともに、それに伴って、上記した発光制御トランジスタＴｒ３を用いた発光期間の調整動作が行われないようになっている。
【００９７】
このようにして、これらの変形例２−１，２−２では、表示駆動の停止期間における発光期間が相対的に長くなるように、発光制御トランジスタＴｒ３のオン期間を、画素グループ単位（この例では走査ライン単位）で個別的に制御するようにしたので、例えば以下の効果を得ることが可能となる。すなわち、上記比較例３で説明した、発光期間の調整（発光期間を長くすること）による、リーク電流に起因した発光輝度低下の抑制作用を、ガスグループ単位で個別に制御することができるようになる。したがって、本変形例においても、表示画質の低下を抑えることが可能となると共に、静止画を表示する際の表示駆動の停止期間を延ばす（フレーム数を増加させる）ことによって、低消費電力化を図ることが可能となる。
【００９８】
なお、本変形例の手法（発光制御トランジスタＴｒ３を用いた発光期間の調整動作）は、これまでに説明した実施の形態または変形例１等の手法と組み合わせても（併用しても）よいし、あるいは、これら実施の形態または変形例１等の手法の代わりに用いるようにしてもよい。
【００９９】
＜３．適用例＞
続いて、上記した実施の形態および変形例１，２に係る表示装置の、電子機器への適用例について説明する。
【０１００】
図１０は、本適用例に係る電子機器（電子機器９）の概略構成例を、ブロック図で表したものである。この電子機器９は、これまでに説明した複数の画素１１（または複数の画素１１Ａ）を有する表示装置１と、電子機器９本体における各種機能を発揮させる機能部９０とを備えている。
【０１０１】
このような電子機器９としては、例えば、各種モバイル機器（例えば、電子ブック，ノート型ＰＣ（Personal computer），ダブレット，携帯型ゲーム機器，携帯型オーディオプレーヤ，携帯型動画プレーヤ，携帯電話，ウェアラブル端末など）等が挙げられる。また、電子機器９としては、そのようなモバイル機器だけでなく、例えば、ＴＶ装置（テレビ受像機），照明機器，電子看板（Digital Signage），カーナビゲーションシステム等も挙げられる。
【０１０２】
＜４．その他の変形例＞
以上、実施の形態、変形例および適用例を挙げて本開示の技術を説明したが、本技術はこれらの実施の形態等に限定されず、種々の変形が可能である。
【０１０３】
例えば、上記実施の形態等では、表示装置および電子機器の構成例を具体的に挙げて説明したが、それらの構成例には限られない。具体的には、例えば、それらの一部分の構成を他の構成に代えたり、あるいは他の構成を更に加えたりするようにしてもよい。また、各構成の形状や配置、個数等についても、上記実施の形態等で挙げたものには限られず、他の形状や配置、個数等としてもよい。
【０１０４】
具体的には、例えば、上記実施の形態等では、表示装置がアクティブマトリクス型である場合について説明したが、アクティブマトリクス駆動のための画素回路の構成は、上記実施の形態等で説明したものに限られない。すなわち、画素回路の構成は、上記実施の形態等で説明した「２Ｔｒ１Ｃ」の回路構成には限られず、例えば必要に応じて、容量素子やトランジスタ等を追加したり置き換えたりするようにしてもよい。その場合、画素回路の変更に応じて、実施の形態等で説明した走査線駆動回路２３、信号線駆動回路２４および電源線駆動回路２５の他に、必要な駆動回路を追加するようにしてもよい。
【０１０５】
また、上記実施の形態等では、走査線駆動回路２３、信号線駆動回路２４および電源線駆動回路２５における駆動動作を、タイミング生成回路２２が制御する場合について説明したが、他の回路がこれらの駆動動作を制御するようにしてもよい。また、このような走査線駆動回路２３、信号線駆動回路２４および電源線駆動回路２５に対する制御は、ハードウェア（回路）で行われるようにしてもよいし、ソフトウェア（プログラム）で行われるようにしてもよい。
【０１０６】
更に、上記実施の形態等では、本開示における「発光素子」の一例として、有機ＥＬ素子（有機電界発光素子）を挙げて説明したが、これには限られない。すなわち、有機ＥＬ素子以外の他の発光素子（例えば、無機ＥＬ素子、ＬＥＤ（Light Emitting Diode）、レーザ素子等）を用いて、表示装置を構成するようにしてもよい。
【０１０７】
加えて、上記実施の形態等では、画素回路内の書き込みトランジスタＴｒ１および発光制御トランジスタＴｒ３がそれぞれ、ｎチャネルトランジスタ（ｎチャネルＭＯＳ型のＴＦＴ）により構成されていると共に、駆動トランジスタＴｒ２がｐチャネルトランジスタ（ｐチャネルＭＯＳ型のＴＦＴ）により構成されている場合について説明した。ただし、この場合には限られず、各トランジスタにおけるチャネルの種類（導電型）については、例えば目的や用途等に応じて、任意に組み合わせで構成するようにしてもよい。
【０１０８】
また、静止画を表示する際の表示駆動の手法としても、上記実施の形態等で説明した手法には限られず、他の手法を用いるようにしてもよい。具体的には、例えば、上記実施の形態等では、表示駆動の断続的停止を、奇数ラインと偶数ラインとの間で交互に実行する場合の例について説明したが、これには限られず、例えば、表示駆動の継続的停止を３種類以上の走査ライン間で順番に実行するようにしてもよい。また、１つの走査ラインに属する画素を画素グループとして設定する場合には限られず、例えば、複数の走査ラインに属する画素をまとめて画素グループとして設定するようにしてもよい。更に、この画素グループの設定領域としては、これまでに説明したような走査ライン単位には限られず、例えば、他の制御ライン（例えば信号線ＤＴＬ）単位で画素グループを設定したり、あるいは、任意の画素領域を画素グループとして設定したりするようにしてもよい。
【０１０９】
更に、これまでに説明した各種の例を、任意の組み合わせで適用させるようにしてもよい。
【０１１０】
なお、本明細書中に記載された効果はあくまで例示であって限定されるものではなく、また、他の効果があってもよい。
【０１１１】
また、本技術は以下のような構成を取ることも可能である。
（１）
各々が発光素子とトランジスタと保持容量素子とを含む複数の画素と、
各画素に対して映像信号を書き込むことにより表示駆動を行う駆動回路と
を備え、
前記複数の画素全体が、複数の画素グループに分割されるように設定されており、
前記駆動回路は、前記映像信号に基づく静止画の表示期間において、前記表示駆動の断続的停止を、前記画素グループ単位で個別的に行う
表示装置。
（２）
前記画素グループが、１または複数の走査線に沿って位置する複数の前記画素によって構成されており、
前記駆動回路は、前記静止画の表示期間における前記表示駆動の断続的停止を、前記１または複数の走査線単位で個別的に行う
上記（１）に記載の表示装置。
（３）
前記駆動回路は、
前記静止画の表示期間における前記表示駆動の断続的停止を、
奇数番目に位置する前記走査線である奇数走査線に沿った複数の前記画素と、偶数番目に位置する前記走査線である偶数走査線に沿った複数の前記画素との間で、交互に実行する
上記（２）に記載の表示装置。
（４）
前記駆動回路は、
前記静止画の表示期間における前記表示駆動が、前記複数の画素全体で一定の周期にて実行されるように、
前記奇数走査線および前記偶数走査線の各々についての前記表示駆動の断続的停止のタイミングを個別に調整する
上記（３）に記載の表示装置。
（５）
前記画素を順次選択するための選択パルスが印加される走査線と、前記映像信号が供給される信号線とが、各画素に対して接続されており、
前記駆動回路は、前記走査線に対する前記選択パルスの印加を停止することにより、前記表示駆動を停止する
上記（１）ないし（４）のいずれかに記載の表示装置。
（６）
前記発光素子による発光期間を制御するための発光制御スイッチが、各画素内に更に設けられており、
前記駆動回路は、前記表示駆動を停止しているときの前記発光期間が相対的に長くなるように、前記発光制御スイッチのオン期間を、前記画素グループ単位で個別的に制御する
上記（５）に記載の表示装置。
（７）
前記発光素子が、有機電界発光素子である
上記（１）ないし（６）のいずれかに記載の表示装置。
（８）
表示装置を備え、
前記表示装置は、
各々が発光素子とトランジスタと保持容量素子とを含む複数の画素と、
各画素に対して映像信号を書き込むことにより表示駆動を行う駆動回路と
を有し、
前記複数の画素全体が、複数の画素グループに分割されるように設定されており、
前記駆動回路は、前記映像信号に基づく静止画の表示期間において、前記表示駆動の断続的停止を、前記画素グループ単位で個別的に行う
電子機器。
【符号の説明】
【０１１２】
１…表示装置、１０…表示パネル、１１，１１Ａ…画素、１２…有機ＥＬ素子、１３…画素アレイ部、１４，１４Ａ…画素回路、２０…駆動回路、２０Ａ…映像信号、２０Ｂ…同期信号、２１…映像信号処理回路、２１Ａ…映像信号、２２…タイミング生成回路、２２Ａ…制御信号、２３…走査線駆動回路、２４…信号線駆動回路、２５…電源線駆動回路、ＷＳＬ…走査線、ＤＴＬ…信号線、ＤＳＬ…電源線、Ｔｒ１…書き込みトランジスタ、Ｔｒ２…駆動トランジスタ、Ｔｒ３…発光制御トランジスタ、Ｃｓ…保持容量素子、Ｉｄｓ…電流、Ｖｇ…ゲート電位、Ｖｓ…ソース電位、Ｖｇｓ…ゲート−ソース間電圧、Ｖcns…固定電位、Ｔｓ１〜Ｔｓ５…静止画表示フレーム期間。
【図１】
0006660155.tif 000002
【図２】
0006660155.tif 000003
【図３】
0006660155.tif 000004
【図４】
0006660155.tif 000005
【図５】
0006660155.tif 000006
【図６】
0006660155.tif 000007
【図７】
0006660155.tif 000008
【図８】
0006660155.tif 000009
【図９】
0006660155.tif 000010
【図１０】
0006660155.tif 000011